(57)【要約】【課題】移動観覧席の使用方法に自由度を与えるとともに設置場所の床面の負荷を充分に減らすことにある。【解決手段】複数段の床台が全体的に階段状に展開する使用位置と上下方向に整列する収納位置との間で互いに連動して前後移動するとともに、使用位置から後退移動する際に後方に位置する床台から順に収納位置へ移動する移動観覧席において、前記使用位置で、前記複数段の床台のうちの使用休止床台をその床台の１段上の使用する床台に対し上下方向に整列するまで後退移動可能とするとともに、前記使用休止床台の１段下の使用する床台をその使用休止床台に対し前方に階段状にずれた相対位置で後退方向に掛合させ、前記使用位置からの、最上段の床台を停止させた状態での最下段の床台の後退移動に伴い、前記１段下の使用する床台と前記使用休止床台との前記後退方向の掛合を、前記収納位置に位置する前記１段上の使用する床台によって解除するものである。【選択図】図９
2015181871.tif 000002
【特許請求の範囲】
【請求項１】
複数段の床台がそれらのうちの最下段の床台の進退移動に伴い、全体的に階段状に展開する使用位置と全体的に上下方向に整列する収納位置との間で互いに連動して前後移動するとともに、使用位置から収納位置へ後退移動する際に後方に位置する床台から順に収納位置へ移動する移動観覧席において、
前記全体的に階段状に展開する使用位置で、前記複数段の床台のうちの使用休止床台をその床台の１段上の使用する床台に対し上下方向に整列するまで後退移動可能とするとともに、前記複数段の床台のうちの前記使用休止床台の１段下の使用する床台をその使用休止床台に対し前方に階段状にずれた相対位置で後退方向に掛合させ、
前記全体的に階段状に展開する使用位置からの、最上段の床台を停止させた状態での最下段の床台の後退移動に伴い、前記１段下の使用する床台と前記使用休止床台との前記後退方向の掛合を、前記収納位置に位置する前記１段上の使用する床台によって解除するようにしたことを特徴とする移動観覧席。
【請求項２】
前記複数の床台を各々水平状態で移動観覧席の前後方向に移動可能に支持する脚部を具え、
前記複数の床台の脚部が、前記使用休止床台を除いて、１段上の床台の脚部と掛合してその１段上の床台を当該床台に対し階段状にずれた相対位置のまま後退移動方向に連動させる掛合部材を有し、
前記使用休止床台の１段下の使用する床台を除いて前記掛合部材に、２段上の床台の脚部と左右方向に整列する位置かまたは収納位置まで後退移動するとその掛合部材の、前記１段上の床台の脚部との掛合を解除する通常掛合解除部を設け、
前記使用休止床台の１段下の使用する床台の前記掛合部材に、前記使用休止床台の段数に応じた３段以上上の床台の脚部と左右方向に整列する位置または収納位置まで後退移動するとその掛合部材の、前記使用休止床台の脚部との掛合を解除する重ね部掛合解除部を設けたことを特徴とする、請求項１記載の移動観覧席。
【請求項３】
前記各脚部が、移動観覧席の前後方向へ延在する脚材を有し、
前記通常掛合解除部および前記重ね部掛合解除部が、前記脚材の前端部に設けられた駆動部材によって駆動されて前記掛合を解除されることを特徴とする、請求項２記載の移動観覧席。
【請求項４】
前記複数の床台のうち最上段の床台を使用位置で停止状態に維持する最上段停止手段を具えることを特徴とする、請求項１から３までの何れか１項記載の移動観覧席。
【発明の詳細な説明】
【技術分野】
【０００１】
この発明は、複数段の床台がそれらのうちの最下段の床台の進退移動に伴い、全体的に階段状に展開する使用位置（以下、「通常使用位置」という場合もある）と全体的に上下方向に整列する収納位置との間で互いに連動して前後移動するとともに、移動観覧席の設置場所の床面の負荷を減らすために、通常使用位置から収納位置へ後退移動する際に後方に位置する床台から順に収納位置へ移動する移動観覧席に関し、特には、階段状に展開するとともに一部の複数段の床台が上下方向に整列する使用位置（以下、「短縮使用位置」という場合もある）を選択可能な移動観覧席に関するものである。なお、この明細書において「前方」とは移動観覧席の階段状に展開した複数段の床台が順に低くなる方向、「後方」とは階段状に展開した複数段の床台が順に高くなる方向をいい、左右方向とはその前方を向いたときの左方および右方をいう。
【背景技術】
【０００２】
複数段の床台がそれらのうちの最下段の床台の進退移動に伴い、全体的に階段状に展開する使用位置と全体的に上下方向に整列する収納位置との間で互いに連動して前後移動するとともに、移動観覧席の設置場所の床面の負荷を減らすために、使用位置から収納位置へ後退移動する際に後方に位置する床台から順に収納位置へ移動する移動観覧席としては従来、例えば本願出願人が先に特許文献１にて開示した移動観覧席が知られており、この移動観覧席は、複数段の床台と、各床台上にその長手方向に横並びに起倒可能に装着された座起立型の連結椅子と、各床台を水平状態で移動観覧席の前後方向に移動可能に支持するとともに床台同士を互いの掛合により連動させる脚部とを具え、脚部は、床台の長手方向に間隔が空いた複数の部位に上端部をそれぞれ結合されてその床台から下方に延在する複数本の支柱と、それらの支柱の下端部に後端部付近をそれぞれ結合されて連結椅子の前後方向に延在する複数本の脚材と、それらの脚材にそれぞれ設けられた移動用ローラーとを有している。【０００３】
そしてこの移動観覧席は、上記複数本の支柱の長さが床台毎に床台間の段差分ずつ異なるとともに、それら複数本の支柱の下端部がそれぞれ結合される脚材同士の間隔が最上段の床台から順に少しずつ狭まっていて、脚材同士が床台の長手方向に並ぶようになっていることから、ホール等の設置場所に設置した場合に、複数段の床台が、全体的に階段状に展開する使用位置と、設置場所の壁面の凹部内等で全体的に上下方向に整列する収納位置との間で移動することができ、使用位置から収納位置に移動する際には、連結椅子を倒して平坦な収納姿勢として床台間に収納する。【０００４】
さらにこの移動観覧席は、使用位置で最後部に位置する最上段の床台を除いた各床台の脚部の支柱下端部に、前端部に鉤爪を持つとともに側部に外向きに突出したカム状の解除部を持つ掛合部材を上下方向揺動自在に設けるとともに、使用位置で最前部に位置する最下段の床台を除いた各床台の脚部の脚材前端部にストッパー部材を内向きに突設し、また上記最上段の床台の脚部の脚材に対し床台の長手方向で外側の位置で、設置場所の床面上に移動観覧席の前後方向に延在してその最上段の床台の脚部の前後移動を案内する固定部材を固設し、その固定部材の前端部にもストッパー部材を内向きに突設して、掛合および掛合解除手段を構成している。【０００５】
これにより収納位置から使用位置への移動観覧席の前進移動時には、電動式の駆動手段等によって最下段の床台を前進移動させると、最下段の床台の前進移動中にその脚部の支柱下端部の掛合部材が、未だ停止中の下から２段目の床台の脚部の脚材前端部の相対的に後退するストッパー部材と前端部の鉤爪の下向き傾斜辺との摺接によりその鉤爪を持ち上げられ、そのストッパー部材が鉤爪を通過して最下段の床台の支柱下端部に当接すると、前端部の鉤爪が降下してそのストッパー部材と掛合する。その後、下から２段目の床台は脚部の脚材前端部のストッパー部材を最下段の床台の支柱下端部に押されて最下段の床台に対し階段状にずれた状態で最下段の床台と一緒に前進移動し、同様にして最上段の床台まで連動して前進移動し、最上段の床台の支柱下端部が固定部材前端部のストッパー部材と掛合すると、最下段から最上段までの複数段の床台全体が使用位置で停止する。【０００６】
また使用位置から収納位置への移動観覧席の後退移動時には、上記駆動手段等によって最下段の床台を後退移動させると、先ず最下段から最上段までの複数段の床台全体が連動して後退移動し、これにより最後部に位置する最上段の床台が収納位置まで後退すると、固定部材前端部のストッパー部材に上から２段目の床台の脚部の支柱下端部の掛合部材の解除部の下向き傾斜辺が摺接し、その解除部と一緒に掛合部材の鉤爪が持ち上げられて上から２段目の床台の脚部が最上段の床台の脚部との掛合を解除され、これにより最上段の床台が収納位置で停止する一方で上から２段目の床台が後退移動を続け、上から２段目の床台が収納位置まで後退すると、最上段の床台の脚部の脚材前端部のストッパー部材に上から３段目の床台の脚部の支柱下端部の掛合部材の解除部の下向き傾斜辺が摺接し、その解除部と一緒に掛合部材の鉤爪が持ち上げられて上から３段目の床台の脚部が最上段の床台の脚部との掛合を解除され、これにより上から２段目の床台が収納位置で停止する一方で上から３段目の床台が後退移動を続けて収納位置まで後退し、同様にして最下段の床台まで順に収納位置へ後退移動し、最下段から最上段までの複数段の床台全体が収納位置で停止する。
【先行技術文献】
【特許文献】
【０００７】
【特許文献１】特開２００３−７４２０３号公報
【発明の概要】
【発明が解決しようとする課題】
【０００８】
ところで、本願発明者は上記従来の移動観覧席についてさらに研究を進めたところ、以下の如き改良の余地を見出した。すなわち、上記従来の移動観覧席では、使用位置に位置して設置場所の床面の大部分を占有するか、収納位置に位置して床面を空けるかの何れかであって使用方法に自由度がないため、例えば必要に応じて中間の通路段等の使用休止床台をそれより下の床台と一緒の後退移動によってその上の床台と上下方向に整列させて重ねるとともにその使用休止床台よりも上方と下方の床台を階段状にずらして展開することで複数段の床台を短縮使用位置に配置して、設置場所に少人数の観覧席を設けるとともにその前方の床面を空けて演目等に利用可能にする、といった他の使用方法を選択することができないという不都合があった。【０００９】
そしてこの不都合の解消のため、使用休止床台を支持する脚部の、それより１段上の床台の脚部と掛合する掛合部材を省略することも検討したが、使用休止床台の掛合部材を省略しただけでは、その使用休止床台がそれより下の床台と連動して後退移動する際に、その使用休止床台の１段上の床台の解除機能に起因して、先にその１段上の床台の下方で使用休止床台から最下段までの床台が順に掛合を解除されて上下方向に整列してしまい、その後に最上段の床台から順に後退位置へ移動することになるため、設置場所の床面の負荷を充分に減らすことができないという不都合があり、このことは、使用休止床台が最上段に近いほど、先に上下方向に整列する床台の数が多くなるため重大であった。
【課題を解決するための手段】
【００１０】
この発明は、上記従来の移動観覧席の課題を有利に解決するものであり、この発明の移動観覧席は、複数段の床台がそれらのうちの最下段の床台の進退移動に伴い、全体的に階段状に展開する使用位置と全体的に上下方向に整列する収納位置との間で互いに連動して前後移動するとともに、使用位置から収納位置へ後退移動する際に後方に位置する床台から順に収納位置へ移動する移動観覧席において、
前記全体的に階段状に展開する使用位置で、前記複数段の床台のうちの使用休止床台をその床台の１段上の使用する床台に対し上下方向に整列するまで後退移動可能とするとともに、前記複数段の床台のうちの前記使用休止床台の１段下の使用する床台をその使用休止床台に対し前方に階段状にずれた相対位置で後退方向に掛合させ、
前記全体的に階段状に展開する使用位置からの、最上段の床台を停止させた状態での最下段の床台の後退移動に伴い、前記１段下の使用する床台と前記使用休止床台との前記後退方向の掛合を、前記収納位置に位置する前記１段上の使用する床台によって解除するようにしたことを特徴とするものである。
【発明の効果】
【００１１】
この発明の移動観覧席にあっては、複数段の床台が全体的に階段状に展開する使用位置で、それら複数段の床台のうちの使用休止床台をその床台の１段上の使用する床台に対し上下方向に整列するまで後退移動可能とするとともに、それら複数段の床台のうちの前記使用休止床台の１段下の使用する床台をその使用休止床台に対し前方に階段状にずれた相対位置で後退方向に掛合させておき、その全体的に階段状に展開する使用位置からの、最上段の床台を停止させた状態での最下段の床台の後退移動に伴い、前記１段下の使用する床台と前記使用休止床台との前記後退方向の掛合を、前記収納位置に位置する前記１段上の使用する床台によって解除するようにしたことから、前記１段上の使用する床台が収納位置まで後退移動して前記１段下の使用する床台と前記使用休止床台との前記後退方向の掛合を解除するまでは、前記使用休止床台から最下段までの床台が階段状にずれたまま後退移動する。【００１２】
従って、この発明の移動観覧席によれば、通常使用位置から、最上段の床台を停止させた状態で最下段の床台を後退移動させることで、使用休止床台がその床台の１段上の使用する床台に対し上下方向に重なるとともにその使用休止床台よりも上と下の段の床台が階段状に展開するので、複数段の床台を短縮使用位置に展開することができる。【００１３】
そしてこの短縮展開位置から最上段の床台の停止状態を解除して、その階段状に展開した複数段の床台を最下段の床台の後退駆動により全体的に後退移動させると、最上段の床台から順に収納位置で停止するとともにその床台の１段下の床台との掛合を解除され、これにより使用休止床台の１段上の使用する床台が収納位置まで後退移動して、使用休止床台の１段下の使用する床台とその使用休止床台との後退方向の掛合を解除すると、使用休止床台の１段下の使用する床台から最下段の床台までの階段状に展開した床台が後退移動して使用休止床台の１段下の使用する床台から最下段の床台まで順に収容位置で停止する。【００１４】
従ってこの発明の移動観覧席によれば、使用休止床台がそれより下の床台と連動して後退移動しても、先にその使用休止床台の１段上の床台の下方でその使用休止床台から最下段までの床台が順に掛合を解除されて上下方向に整列してしまい、その後に最上段の床台から順に後退位置へ移動するということがないので、設置場所の床面の負荷を充分に減らすことができる。【００１５】
なお、この発明の移動観覧席においては、前記複数の床台を各々水平状態で移動観覧席の前後方向に移動可能に支持する脚部を具え、
前記複数の床台の脚部が、前記使用休止床台を除いて、１段上の床台の脚部と掛合してその１段上の床台を当該床台に対し階段状にずれた相対位置のまま後退移動方向に連動させる掛合部材を有し、
前記使用休止床台の１段下の使用する床台を除いて前記掛合部材に、２段上の床台の脚部と左右方向に整列する位置かまたは収納位置まで後退移動するとその掛合部材の、前記１段上の床台の脚部との掛合を解除する通常掛合解除部を設け、
前記使用休止床台の１段下の使用する床台の前記掛合部材に、前記使用休止床台の段数に応じた３段以上上の床台の脚部と左右方向に整列する位置または収納位置まで後退移動するとその掛合部材の、前記使用休止床台の脚部との掛合を解除する重ね部掛合解除部を設けることとすると、好ましい。【００１６】
このようにすれば、複数段の床台が階段状に展開した使用位置で最下段の床台を後退駆動すると、使用休止床台には、１段上の床台の脚部と掛合してその１段上の床台を当該床台に対し階段状にずれた相対位置のまま後退移動方向に連動させる掛合部材がないため、使用休止床台よりも上の段の床台が階段状に展開して使用位置で停止したまま、使用休止床台から最下段までの床台が階段状に展開した状態で後退移動し、使用休止床台がそれより１段上の床台の下でその床台と上下方向に整列したときに、最下段の床台の後退駆動を停止させれば、使用休止床台がその床台の１段上の使用する床台に対し上下方向に重なるとともにその使用休止床台よりも上と下の段の床台が階段状に展開した状態を生じさせることができる。【００１７】
そしてこの状態から、最上段の床台の後退移動を可能にするとともに最下段の床台を後退駆動すると、使用休止床台の１段下の使用する床台を除いて各床台を支持する脚部が、２段上の床台の脚部と左右方向に整列する位置かまたは収納位置まで後退移動することで、その床台の脚部の掛合部材に設けた通常掛合解除部が１段上の床台の脚部との掛合を解除することから、それらの床台が最上段から順に収容位置で停止し、これにより使用休止床台よりも１段上の床台の脚部がその収容位置で、先ず１段または複数段の使用休止床台の脚部と左右方向に整列し、さらに使用休止床台の１段下の使用する床台の脚部と左右方向に整列すると、その１段下の使用する床台の脚部の掛合部材に設けた重ね部掛合解除部がその掛合部材の、使用休止床台の脚部との掛合を解除するので、使用休止床台よりも下の全ての床台が順に収用位置で停止する。【００１８】
従って上記構成によれば、通常掛合解除部と機能の異なる重ね部掛合解除部を設ける簡易な構成によって、使用休止床台の１段上の床台の下方で、その使用休止床台から最下段までの床台が順に掛合を解除されて上下方向に整列してしまうという不都合を防止することができる。【００１９】
そしてこの発明の移動観覧席においては、前記各脚部が、移動観覧席の前後方向へ延在する脚材を有し、
前記通常掛合解除部および前記重ね部掛合解除部が、前記脚材の前端部に設けられた駆動部材によって駆動されて前記掛合を解除されると、好ましい。【００２０】
このようにすれば、前記通常掛合解除部を、その通常掛合解除部を持つ床台よりも２段上の床台の脚部の脚材の前端部に設けられた駆動部材によって駆動されるようにする一方、前記重ね部掛合解除部を、その重ね部掛合解除部を持つ床台よりも３段以上上の床台の脚部の脚材の前端部に設けられた駆動部材によって駆動されるようにすれば足りるので、互いに機能が異なる通常掛合解除部と重ね部掛合解除部とを容易に構成することができる。【００２１】
さらにこの発明の移動観覧席においては、前記複数の床台のうち最上段の床台を使用位置で停止状態に維持する最上段停止手段を具えることとすると、前記使用位置での上方の段の各床台の前後方向の揺れを防止して、観客に安定感を与えることができるので好ましい。
【図面の簡単な説明】
【００２２】
【図１】（ａ）および（ｂ）は、この発明の移動観覧席の一実施形態を通常使用位置に展開した状態で示す平面図および側面図である。
【図２】上記通常使用位置に展開した状態での上記実施形態の移動観覧席を一部省略するとともに一部切り欠いて示す斜視図である。
【図３】上記通常使用位置に展開した状態での上記実施形態の移動観覧席の各段の床台の脚部の配置状態を示す平面図である。
【図４】収納位置に位置した状態での上記実施形態の移動観覧席を一部省略するとともに一部切り欠いて示す斜視図である。
【図５】（ａ）は、上記収納位置に位置した状態での上記実施形態の移動観覧席の各段の床台の脚部の配置状態を一部について代表で示す平面図であり、（ｂ）は、上記収納位置に位置した状態での上記実施形態の移動観覧席を示す側面図である。
【図６】図３中のＡ部を拡大して示す平面図である。
【図７】（ａ），（ｂ）および（ｃ）は、上記実施形態の移動観覧席の複数の床台の脚部を横方向に整列した状態で示す正面図、平面図および側面図である。
【図８】（ａ）は、上記実施形態の移動観覧席における、通常掛合解除部を設ける掛合部材の鉤爪と１段上の床台の脚部のストッパー部材との掛合状態を示す分解斜視図、（ｂ）は、掛合部材に設けられた通常掛合解除部を示す斜視図、（ｃ）は、その通常掛合解除部が２段上の床台の脚部のストッパー部材で持ち上げられる状態を示す斜視図である。
【図９】（ａ）は、上記実施形態の移動観覧席における、重ね部掛合解除部を設ける掛合部材の鉤爪と１段上の床台の脚部のストッパー部材との掛合状態を示す分解斜視図、（ｂ）は、掛合部材に設けられた重ね部掛合解除部を示す斜視図、（ｃ）は、その通常掛合解除部が３段上の床台の脚部のストッパー部材で持ち上げられる状態を示す斜視図である。
【図１０】短縮使用位置に展開した状態での上記実施形態の移動観覧席を一部省略するとともに一部切り欠いて示す斜視図である。
【図１１】（ａ）は、上記短縮使用位置に展開した状態での上記実施形態の移動観覧席の各段の床台の脚部の配置状態を一部について代表で示す平面図であり、（ｂ）は、上記短縮使用位置に展開した状態での上記実施形態の移動観覧席を示す側面図である。
【図１２】上記短縮使用位置から上記収納位置への後退途中の状態での上記実施形態の移動観覧席を一部省略するとともに一部切り欠いて示す斜視図である。
【図１３】（ａ）は、上記短縮使用位置から上記収納位置への後退途中の状態での上記実施形態の移動観覧席の各段の床台の脚部の配置状態を一部について代表で示す平面図であり、（ｂ）は、上記短縮使用位置から収納位置への後退途中の状態での上記実施形態の移動観覧席を示す側面図である。
【発明を実施するための形態】
【００２３】
以下、この発明の実施の形態を図面に基づく実施例によって詳細に説明する。ここに、図１（ａ）および図１（ｂ）は、この発明の移動観覧席の一実施形態を通常使用位置に展開した状態で示す平面図および側面図であり、図２は、上記通常使用位置に展開した状態での上記実施形態の移動観覧席を一部省略するとともに一部切り欠いて示す斜視図であり、図３は、上記通常使用位置に展開した状態での上記実施形態の移動観覧席の各段の床台の脚部の配置状態を示す平面図である。また図４は、収納位置に位置した状態での上記実施形態の移動観覧席を一部省略するとともに一部切り欠いて示す斜視図であり、図５（ａ）は、上記収納位置に位置した状態での上記実施形態の移動観覧席の各段の床台の脚部の配置状態を一部について代表で示す平面図であり、図５（ｂ）は、上記収納位置に位置した状態での上記実施形態の移動観覧席を示す側面図である。
【００２４】
この実施形態の移動観覧席は、ホール等の設置場所の床面Ｆ上に設置されて使用されるもので、通路用床台１Ａ（図１では上から８段目、図２では上から４段目）および最上段（最後部）床台１Ｂを含む複数段（図示例では１４段）の床台１と、通路用床台１Ａおよび最上段床台１Ｂを除いて各床台１上に１列ずつ横並びに配置された座起立型の連結椅子２と、各床台１を水平状態で前後方向に移動可能に支持するとともに床台１同士を互いの掛合により連動させる脚部３とを具えており、ここで、各床台１上の連結椅子２は、モーター駆動の図示しない椅子起倒装置を介して図１に示す起き上がった使用状態と前方に倒れた平坦な収納状態との間で起倒可能に床台１上に装着されている。
【００２５】
各床台１は、図２に示すように、左右方向に水平に延在する貫材４と、その貫材４に後端部を支持されて貫材４の前方で左右方向に水平に延在する床材５とを有し、また、各脚部３は、貫材４の長手方向に間隔が空いた複数の部位に上端部をそれぞれ結合されてその貫材４から下方に延在する４本の支柱（図２では２本のみ示す）６と、それらの支柱６の下端部にそれぞれ結合されて前後方向に延在する２対で４本の脚材（図２では１対のみ示す）７と、それらの脚材７にそれぞれ設けられた複数の移動用ローラー８とを有している。
【００２６】
そしてこの実施形態の移動観覧席は、上記４本の支柱６の長さが床台１毎に床台１間の段差分ずつ異なるとともに、図３に示すように、４本の支柱６の下端部がそれぞれ結合される脚材７同士の間隔が各対の脚材７で、最も収納位置に近い最上段の床台１のものから順に少しずつ狭まっていて、脚材７同士が左右方向（図３では上下方向）に並ぶようになっており、各対の最も外側の脚材７の両外側の床面Ｆ上には、それらの脚材７に沿って前後方向へ延在する固定部材９が固定されていることから、設置場所の床面Ｆ上での複数段の床台１の前進移動および後退移動により、複数段の床台１が、図１〜図３に示すように互いに所定長さだけずれて全体的に階段状に展開し、連結椅子２が何れも観覧席として使用可能になる所定の通常使用位置と、図４、図５に示すように互いに上下方向に整列する、設置場所の壁面Ｗに設けられた凹部Ｐ内の所定の収納位置との間で進退移動することができる。
【００２７】
さらにこの実施形態の移動観覧席は、凹部Ｐ内の床面Ｆ上に図示しない２台の床台駆動装置を左右方向に並べて具えており、これらの床台駆動装置は各々、ブレーキ付きのモーターでドラムを正逆回転駆動し、ドラム上に巻かれた、各連結片に車輪を持つ帯状チェーンをそのドラムの正回転で繰り出す一方、そのドラムの逆回転で、帯状チェーンをドラム上に巻き取るように機能する。そしてそれらの帯状チェーンの先端部は各々、最前部に位置する最下段の床台１に連結されており、これにより２台の床台駆動装置は、最下段の床台１ひいては複数段の床台１の全体を進退移動させることができる。
【００２８】
図６は、図３中のＡ部を拡大して示す平面図であり、図７（ａ），図７（ｂ）および図７（ｃ）は、上記実施形態の移動観覧席の複数の床台の脚部を横方向に整列した状態で示す正面図、平面図および側面図である。また図８（ａ）は、上記実施形態の移動観覧席における、通常掛合解除部を設ける掛合部材の鉤爪と１段上の床台の脚部のストッパー部材との掛合状態を示す斜視図、図８（ｂ）は、掛合部材に設けられた通常掛合解除部を示す斜視図、図８（ｃ）は、その通常掛合解除部が２段上の床台の脚部のストッパー部材で持ち上げられる状態を示す斜視図であり、図９（ａ）は、上記実施形態の移動観覧席における、重ね部掛合解除部を設ける掛合部材の鉤爪と１段上の床台の脚部のストッパー部材との掛合状態を示す斜視図、図９（ｂ）は、掛合部材に設けられた重ね部掛合解除部を示す斜視図、図９（ｃ）は、その通常掛合解除部が３段上の床台の脚部のストッパー部材で持ち上げられる状態を示す斜視図である。
【００２９】
ここで、各床台１の脚材７の前端部の上面には、図示のように、横向きに各対の内側に突出して後述の如く駆動部材としても機能するストッパー部材１０が固設されており、このストッパー部材１０は、このストッパー部材１０が先端部に設けられた脚材７を持つ床台１の１段下の床台１の前進移動時に、図６に示すように、当該脚材７がその１段下の床台１の、当該脚材７の内側（図６では上側）に隣接する脚材７に対し後方に所定距離だけ階段状にずれた状態で、その１段下の床台１の脚材７に結合された支柱６の下端部の前面と掛合してさらなるずれを制止し、このストッパー部材１０が先端部に設けられた脚材７を持つ床台１をその１段下の床台１と一緒に前進移動させる。
【００３０】
なお、最上段の床台１は、所定の使用位置まで前進移動してその床台１の支柱６の下端部の前面と固定部材９の前端部に設けられたストッパー部材１０とが掛合すると、固定部材９によってそれ以上の前進移動を制止される。
【００３１】
また、通路用床台１Ａおよび最上段床台１Ｂを除いて各床台１を支持する脚部３の各対の支柱６の下端部外側面には、図７に示すように、掛合部材１１が上下方向揺動自在に後部を軸支されており、この掛合部材１１は、図７（ｃ）中実線で示す下降した掛合位置でその前端部の鉤爪１１ａにより、支柱６の下端部の前面に隣接したストッパー部材１０と後退方向に掛合して、このストッパー部材１０が先端部に設けられた脚材７を持つ床台１をその１段下の床台１に対し後方に階段状にずれたままその１段下の床台１と一緒に後退移動させ、また図７（ｃ）中仮想線で示す上昇した掛合解除位置で、その鉤爪１１ａと上記ストッパー部材１０との掛合を解除して、その１段下の床台１が当該床台１と上下方向に整列するまで後退移動することを可能にする。
【００３２】
さらに、通路用床台１Ａの１段下の床台１の掛合部材１１を除き、各掛合部材１１の側面には、図８（ａ），（ｂ）に示すように、下向き傾斜面１２ａを持つ通常掛合解除部１２が突設されており、上記掛合部材１１が設けられた支柱６を結合された脚材７を持つ床台１の後退移動時に、図８（ｃ）に示すように、当該脚材７がその脚材７を持つ床台１より２段上の床台１の、当該脚材７の外側（図７では下側）に間に１本脚材７を置いて隣接する脚材７に対し左右方向に整列する際に、この掛合部材１１に突設された通常掛合解除部１２の下向き傾斜面１２ａが、その２段上の床台１の脚材７の前端部に設けられたストッパー部材１０と摺接して持ち上げられ、上述のように掛合部材１１を掛合解除位置に上昇させて、掛合部材１１の鉤爪１１ａと１段上の床台１のストッパー部材１０との掛合を解除する。従ってストッパー部材１０は掛合部材１１を駆動する駆動部材としても機能する。
【００３３】
この一方、通路用床台１Ａの１段下の床台１の掛合部材１１の側面には、図９（ａ），（ｂ）に示すように、下向き傾斜面１３ａを持つ重ね部掛合解除部１３が突設されており、上記掛合部材１１が設けられた支柱６を結合された脚材７を持つ通路用床台１Ａの後退移動時に、図９（ｃ）に示すように、当該脚材７がその脚材７を持つ床台１より３段上の床台１の、当該脚材７の外側に間に２本脚材７を置いて隣接する脚材７に対し左右方向に整列する際に、この掛合部材１１に突設された重ね部掛合解除部１３の下向き傾斜面１３ａが、その３段上の床台１の脚材７の前端部に設けられたストッパー部材１０と摺接して持ち上げられ、上述のように掛合部材１１を掛合解除位置に上昇させて、掛合部材１１の鉤爪１１ａと１段上の床台１のストッパー部材１０との掛合を解除する。
【００３４】
なお、最上段の１段下の床台１の掛合部材１１は、その最上段の１段下の床台１の脚材７の前端が固定部材９の前端と左右方向に整列する際に、固定部材９の前端部に設けられたストッパー部材１０によって持ち上げられて、掛合部材１１の鉤爪１１ａと最上段の床台１のストッパー部材１０との掛合を解除する。
【００３５】
さらにこの実施形態の移動観覧席は、図１（ｂ）および図５（ｂ）に示すように、凹部Ｐ内の壁面に最上段停止手段としての折曲リンクタイプの固定装置１４を具えており、この固定装置１４は、中央部の関節により上方に折曲可能にしたリンク部材と、そのリンク部材に対するロック部材の掛脱移動によりそのリンク部材を僅かに折曲した状態で固定するロックとそのリンク部材を大きく折曲可能にするロック解除とを行う電動式ロック機構とを有することで、図１（ｂ）に示すように、ロックによりそのリンク部材を僅かに折曲した状態で固定して最上段の床台１を使用位置で停止状態に維持することができるとともに、図５（ｂ）に示すように、ロック解除によりそのリンク部材を大きく折曲可能として最上段の床台１の収納位置までの後退移動を許容することができる。
【００３６】
図１０は、短縮使用位置に展開した状態での上記実施形態の移動観覧席を一部省略するとともに一部切り欠いて示す斜視図であり、図１１（ａ）は、上記短縮使用位置に展開した状態での上記実施形態の移動観覧席の各段の床台の脚部の配置状態を一部について代表で示す平面図、図１１（ｂ）は、上記短縮使用位置に展開した状態での上記実施形態の移動観覧席を示す側面図である。また、図１２は、上記短縮使用位置から上記収納位置への後退途中の状態での上記実施形態の移動観覧席を一部省略するとともに一部切り欠いて示す斜視図であり、図１３（ａ）は、上記短縮使用位置から上記収納位置への後退途中の状態での上記実施形態の移動観覧席の各段の床台の脚部の配置状態を一部について代表で示す平面図、図１３（ｂ）は、上記短縮使用位置から収納位置への後退途中の状態での上記実施形態の移動観覧席を示す側面図である。
【００３７】
上述した構成を具えるこの実施形態の移動観覧席にあっては、複数段の床台１が全体的に階段状に展開する通常使用位置において、それら複数段の床台１のうちの使用休止床台とする通路用床台１Ａの掛合部材１１を省略することで通路用床台１Ａを、その通路用床台１Ａの１段上の使用する床台１に対し上下方向に整列するまで後退移動可能とするとともに、それら複数段の床台１のうちの通路用床台１Ａの１段下の使用する床台１をその通路用床台１Ａに対し前方に階段状にずれた相対位置で掛合部材１１の鉤爪１１ａとストッパー部材１０との掛合により後退方向に掛合させておき、その全体的に階段状に展開する使用位置からの、固定装置１４で最上段の床台１を停止させた状態での上記床台駆動装置による最下段の床台１の後退移動に伴い、上記１段下の使用する床台１と通路用床台１Ａとの後退方向の掛合を、通路用床台１Ａの１段上の収納位置に位置する使用する床台１のストッパー部材１０あるいは固定部材９のストッパー部材１０によって解除するようにしたことから、上記１段上の使用する床台１が収納位置まで後退移動して上記１段下の使用する床台１と通路用床台１Ａとの後退方向の掛合を解除するまでは、通路用床台１Ａから最下段までの床台１が階段状にずれたまま後退移動する。
【００３８】
従って、この実施形態の移動観覧席によれば、最上段の床台１を停止させた状態とすることで、図１０および図１１に示すように、通路用床台１Ａがその床台１の１段上の使用する床台１に対し上下方向に重なるとともにその通路用床台１Ａよりも上と下の段の床台１が階段状に展開するので、複数段の床台１を、短縮使用位置に展開することができる。
【００３９】
そしてこの短縮展開位置から、固定装置１４で最上段の床台１の停止状態を解除して、その階段状に展開した複数段の床台１を上記床台駆動装置による最下段の床台１の後退駆動により全体的に後退移動させると、図１２および図１３に示すように、先ず最後部に位置する最上段の床台１Ｂが収納位置で、固定部材９の中間部に内向きに設けられたもう一つのストッパー部材１０と支柱６の下端部後面との当接により停止し、さらに最上段より下の床台１も順に収納位置で停止するとともに固定部材９または２段上の床台１のストッパー部材１０による通常掛合解除部１２の持ち上げによってその床台の１段下の床台との掛合を解除され、これにより通路用床台１Ａの１段上の使用する床台１が収納位置まで後退移動して、２段上の床台１のストッパー部材１０による重ね部掛合解除部１３の持ち上げによって通路用床台１Ａの１段下の使用する床台１とその通路用床台１Ａとの後退方向の掛合を解除すると、通路用床台１Ａの１段下の使用する床台１から最下段の床台１までの階段状に展開した床台１が後退移動して通路用床台１Ａの１段下の使用する床台１から最下段の床台１まで順に収容位置で停止する。
【００４０】
従って、この実施形態の移動観覧席によれば、通路用床台１Ａがそれより下の床台１と連動して後退移動しても、先にその通路用床台１Ａの１段上の床台１の下方でその通路用床台１Ａから最下段までの床台１が順に掛合を解除されて上下方向に整列してしまい、その後に最上段の床台１Ｂから順に後退位置へ移動するということがないので、設置場所の床面Ｆの負荷を充分に減らすことができる。
【００４１】
さらにこの実施形態の移動観覧席では、複数の床台１を各々水平状態で移動観覧席の前後方向に移動可能に支持する脚部３を具え、それら複数の床台１の脚部３が、通路用床台１Ａを除いて、１段上の床台１の脚部３と掛合してその１段上の床台１を当該床台１に対し階段状にずれた相対位置のまま後退移動方向に連動させる掛合部材１１を有し、通路用床台１Ａの１段下の使用する床台１を除いて掛合部材１１に、２段上の床台１の脚部３と左右方向に整列する位置かまたは収納位置まで後退移動するとその掛合部材１１の、１段上の床台１の脚部３との掛合を解除する通常掛合解除部１２を設け、また、通路用床台１Ａの１段下の使用する床台１の掛合部材１１に、通路用床台１Ａの段数に応じたここでは３段上の床台１の脚部３と左右方向に整列する位置または収納位置まで後退移動するとその掛合部材１１の、通路用床台１Ａの脚部３との掛合を解除する重ね部掛合解除部１３を設けていることから、複数段の床台１が階段状に展開した使用位置で最下段の床台１を後退駆動すると、通路用床台１Ａには、１段上の床台１の脚部３と掛合してその１段上の床台１を当該通路用床台１Ａに対し階段状にずれた相対位置のまま後退移動方向に連動させる掛合部材１１がないため、通路用床台１Ａよりも上の段の床台１が階段状に展開して使用位置で停止したまま、通路用床台１Ａから最下段までの床台１が階段状に展開した状態で後退移動し、通路用床台１Ａがそれより１段上の床台１の下でその床台１と上下方向に整列したときに最下段の床台１の後退駆動を停止させることで、複数段の床台１を、通路用床台１Ａがその通路用床台１Ａの１段上の使用する床台１に対し上下方向に重なるとともにその通路用床台１Ａよりも上と下の段の床台１が階段状に展開した短縮使用位置に配置することができる。
【００４２】
そしてこの短縮使用位置から、最上段の床台１Ｂの後退移動を可能にするとともに最下段の床台１を後退駆動すると、通路用床台１Ａの１段下の使用する床台１を除いて、各床台を支持する脚部３が２段上の床台１の脚部３と左右方向に整列する位置かまたは収納位置まで後退移動することで、その床台１の脚部３の掛合部材１１に設けた通常掛合解除部１２が１段上の床台１の脚部３との掛合を解除することから、それらの床台１が最上段から順に収容位置で停止し、これにより通路用床台１Ａよりも１段上の床台１の脚部３がその収容位置で、先ずここでは１段の通路用床台１Ａの脚部３と左右方向に整列し、さらに通路用床台１Ａの１段下の使用する床台１の脚部３と左右方向に整列すると、その１段下の使用する床台１の脚部３の掛合部材１１に設けた重ね部掛合解除部１３がその掛合部材１１の、通路用床台１Ａの脚部３との掛合を解除するので、通路用床台１Ａよりも下の全ての床台１が順に収用位置で停止する。
【００４３】
従ってこの実施形態の移動観覧席によれば、通常掛合解除部１２と機能の異なる重ね部掛合解除部１３を設ける簡易な構成によって、通路用床台１Ａの１段上の床台１の下方でその通路用床台１Ａから最下段までの床台１が順に掛合を解除されて上下方向に整列してしまうという不都合を防止することができる。
【００４４】
そしてこの実施形態の移動観覧席によれば、各脚部３が、移動観覧席の前後方向へ延在する脚材７を有し、通常掛合解除部１２および重ね部掛合解除部１３が、脚材７の前端部に設けられたストッパー部材１０によって駆動されて、隣接する脚部３との掛合を解除されることから、通常掛合解除部１２を、その通常掛合解除部１２を持つ床台１よりも２段上の床台１の脚部３の脚材７の前端部に設けられたストッパー部材１０によって駆動されるようにする一方、重ね部掛合解除部１３を、その重ね部掛合解除部１３を持つ床台１よりもここでは３段上の床台１の脚部３の脚材７の前端部に設けられたストッパー部材１０によって駆動されるようにすれば足りるので、互いに機能が異なる通常掛合解除部１２と重ね部掛合解除部１３とを容易に構成することができる。
【００４５】
さらにこの実施形態の移動観覧席によれば、複数の床台１のうち最上段の床台１Ｂを使用位置で停止状態に維持する固定装置１４を具えていることから、使用位置での上方の段の各床台１の前後方向の揺れを防止して、観客に安定感を与えることができる。
【００４６】
以上、図示例に基づき説明したが、この発明は上述の例に限定されるものでなく、特許請求の範囲の記載範囲内で適宜変更し得るものであり、例えば、各床台１上には、連結椅子２に代えて独立した椅子を設けてもよく、あるいは通路用床台１Ａも含めて、それら連結椅子２や独立した椅子を撤去可能に載置してもよい。
【００４７】
さらに、前記床台の数は、図示例では１４段となっているが、所要に応じて適宜増減することができ、また、通路用床台１Ａ等の使用休止床台の段数も、図示例では１段となっているが、所要に応じて重ねて、あるいは間に使用する床台を挟んで適宜増加させることができ、その配置も図示例の位置には限定されない。
【００４８】
さらに、移動観覧席の通常使用位置と収納使用位置と収納位置との間での各床台の移動方法は、ドラムの正逆回転で帯状チェーンを出し入れする上記実施形態の床台駆動装置によるものに限定されず、最下段の床台に自走装置を設ける構成等によっても良い。また、移動観覧席の通常使用位置や短縮使用位置での固定方法は、上記実施形態の折曲リンクタイプの固定装置１４によるものに限定されず、掛脱可能な掛合手段で最上段の床台１Ｂの脚部３を床面Ｆに対して掛止する構成等によっても良い。
【産業上の利用可能性】
【００４９】
かくしてこの発明の移動観覧席によれば、通常使用位置から、最上段の床台を停止させた状態で最下段の床台を後退移動させることで、使用休止床台がその床台の１段上の使用する床台に対し上下方向に重なるとともにその使用休止床台よりも上と下の段の床台が階段状に展開するので、複数段の床台を短縮使用位置に展開することができ、しかも、使用休止床台がそれより下の床台と連動して後退移動しても、先にその使用休止床台の１段上の床台の下方でその使用休止床台から最下段までの床台が順に掛合を解除されて上下方向に整列してしまい、その後に最上段の床台から順に後退位置へ移動するということがないので、設置場所の床面の負荷を充分に減らすことができる。
【符号の説明】
【００５０】
１  床台
１Ａ  通路用床台
１Ｂ  最上段の床台
２  連結椅子
３  脚部
４  貫材
５  床材
６  支柱
７  脚材
８  ローラー
９  固定部材
１０  ストッパー部材
１１  掛合部材
１１ａ  鉤爪
１２  通常掛合解除部
１２ａ  下向き傾斜面
１３  重ね部掛合解除部
１３ａ  下向き傾斜面
１４  固定装置
F  床面
Ｐ  凹部
Ｗ  壁面
【図１】
2015181871.tif 000003
【図２】
2015181871.tif 000004
【図３】
2015181871.tif 000005
【図４】
2015181871.tif 000006
【図５】
2015181871.tif 000007
【図６】
2015181871.tif 000008
【図７】
2015181871.tif 000009
【図８】
2015181871.tif 000010
【図９】
2015181871.tif 000011
【図１０】
2015181871.tif 000012
【図１１】
2015181871.tif 000013
【図１２】
2015181871.tif 000014
【図１３】
2015181871.tif 000015
【国際調査報告】
2015181871.tif 000016
2015181871.tif 000017
2015181871.tif 000018
2015181871.tif 000019